(57)【要約】    【課題】  簡単な構造であって、眼内レンズが眼内レンズ導入管の設置部から挿入口側へ移動したり、眼内レンズ導入管の外部へ飛び出したりすることを確実に防止することのできる、眼内レンズ挿入器具を提供する。    【解決手段】  挿入口部３における眼内レンズ導入管２の内径Ｂを設置部５における眼内レンズ導入管３の内径Ａよりも小さく形成した。眼内レンズ導入管２の内径が設置部５において最大となり、眼内レンズが眼内レンズ導入管２の設置部５から挿入口部３側へ移動したり、眼内レンズ導入管２の外部へ飛び出したりすることを確実に防止することができる。    【選択図】  図１
2006014963.tif 000002
【特許請求の範囲】
【請求項１】
眼内レンズを導入するための略筒状の眼内レンズ導入管を備えた眼内レンズ挿入器具において、前記眼内レンズ導入管は眼内レンズが挿入される挿入口部と眼内レンズが排出される排出口部とを備え、前記眼内レンズ導入管の前記挿入口部側には眼内レンズが一時的に設置される設置部が設けられ、前記眼内レンズ導入管の内径が前記設置部から前記排出口部へ向かって小さくなるように構成されるとともに、前記挿入口部における前記眼内レンズ導入管の内径が前記設置部における前記眼内レンズ導入管の内径よりも小さく形成されたことを特徴とする眼内レンズ挿入器具。
【請求項２】
眼内レンズを導入するための略筒状の眼内レンズ導入管を備えた眼内レンズ挿入器具において、前記眼内レンズ導入管は眼内レンズが挿入される挿入口部と眼内レンズが排出される排出口部とを備え、前記眼内レンズ導入管の前記挿入口部側には眼内レンズが一時的に設置される設置部が設けられ、前記眼内レンズ導入管の内径が前記設置部から前記排出口部へ向かって小さくなるように構成されるとともに、前記挿入口部と前記設置部の間における前記眼内レンズ導入管の内面に突起を設けたことを特徴とする眼内レンズ挿入器具。
【請求項３】
眼内レンズを導入するための略筒状の眼内レンズ導入管を備えた眼内レンズ挿入器具において、前記眼内レンズ導入管は眼内レンズが挿入される挿入口部と眼内レンズが排出される排出口部とを備え、前記眼内レンズ導入管の前記挿入口部側には眼内レンズが一時的に設置される設置部が設けられ、前記眼内レンズ導入管の内径が前記設置部から前記排出口部へ向かって小さくなるように構成されるとともに、前記設置部又は前記挿入口部と前記設置部の間における前記眼内レンズ導入管の内面に凹凸を形成したことを特徴とする眼内レンズ挿入器具。
【請求項４】
前記設置部において眼内レンズが変形した状態で設置されるように構成されたことを特徴とする請求項１〜３のいずれか１項記載の眼内レンズ挿入器具。
【請求項５】
前記眼内レンズ導入管の内面がコーティング処理されたことを特徴とする請求項１〜４のいずれか１項記載の眼内レンズ挿入器具。
【発明の詳細な説明】
【技術分野】
【０００１】
本発明は、眼内レンズを眼球に挿入する際に使用される眼内レンズ挿入器具に関するものである。
【背景技術】
【０００２】
白内障の手術においては、超音波乳化吸収（ＰＥＡ）により混濁した水晶体を除去した後、除去した水晶体の代わりに眼内レンズを眼内へ埋植する方法が広く行なわれている。この眼内レンズは、レンズの役目をする光学部と、眼内レンズを眼内で眼軸上に位置させ保持する支持部とからなる。そして、眼内レンズは、光学部がポリメチルメタクリレートなどの硬い材料からなる硬質眼内レンズと、光学部が軟性アクリルやシリコーンなど軟らかい材料からなる軟質眼内レンズに大別される。
【０００３】
硬質眼内レンズを眼内へ挿入する際には、約６ｍｍの光学部の直径と同じ程度かそれ以上の幅の切開創を角膜または強膜に形成し、その創を通じて眼内レンズを挿入する。これに対し、軟質眼内レンズを挿入する際には、軟質眼内レンズは軟らかく折畳むことができるので、光学部の直径よりも小さい４ｍｍまたはそれ以下の小さい幅の切開創から挿入することができる。また、専用の挿入器具を使用した場合には、さらに小さい幅の切開創から挿入することが可能となる。
【０００４】
切開創の幅を小さくすることによって、手術による患者の負担が減るとともに、手術に起因する角膜乱視が起こりにくくなり、また、切開創を通じた感染症の可能性が低減される。このような理由により、軟質眼内レンズが好まれる傾向にある。
【０００５】
眼内レンズの専用の挿入器具は、インジェクターと呼ばれ、インジェクター本体と挿入筒部から一般に構成されている。挿入筒部は、略筒状の眼内レンズ導入管を有し、眼内レンズ導入管は眼内レンズが挿入される挿入口部と眼内レンズが排出される排出口部とを備え、眼内レンズ導入管の内径は挿入口部から排出口部へ向かって小さくなるように構成されている。そして、眼内レンズ導入管の挿入口部側には眼内レンズが一時的に設置される設置部が設けられている。この挿入筒部は、衛生上の観点から使い捨てで使用されることが多いが、インジェクター本体と挿入筒部が一体で構成され、インジェクターを使い捨てとするものも販売されている。
【０００６】
インジェクターの使用に際しては、挿入筒部の眼内レンズ導入管に粘弾性物質と呼ばれる潤滑性を向上させる作用を有する液体を充填し、設置部に眼内レンズを設置し、この眼内レンズをインジェクターの押し出し棒で送り出し、先端部を眼内に挿入した挿入筒部を通して眼内レンズを眼内へ移動させる。
【０００７】
ところが、挿入筒部の眼内レンズ導入管の内径は挿入口部から排出口部へ向かって小さくなるように構成されているため、眼内レンズを設置部に設置すると、眼内レンズは内径の大きい挿入口側へ移動してしまう傾向にあった。また、設置部付近の内径が一定の大きさで構成されている場合においても、眼内レンズが挿入口部側へ移動することもあり得た。眼内レンズ導入管の内面は潤滑性が高いため、眼内レンズが折畳まれ変形した状態で設置部に設置された場合には更にこの傾向が強まり、挿入口から眼内レンズ導入管の外部へ飛び出してしまう虞があった。
【０００８】
このような問題を解決することのできる挿入筒部の構造として、特許文献１には、挿入筒部の挿入口にヒンジを介して接続した設置部を備えたものが開示されている。
【特許文献１】米国特許第６５３７２８３号公報
【発明の開示】
【発明が解決しようとする課題】
【０００９】
上記特許文献１に開示された挿入筒部は、眼内レンズは可撓性を有する設置部に保持され、この設置部をヒンジにより接続された挿入筒部の挿入口に合わせて眼内レンズを挿入筒部の挿入口へ押し出して用いるようになっている。このように構成することによって、眼内レンズが挿入筒部の外部へ飛び出すことは防止できるが、挿入筒部にヒンジを介して接続した設置部を設ける必要があり、挿入筒部の構造が複雑になり、製造コストが高くつくという問題があった。
【００１０】
そこで、本発明者は、簡単な構造であって、眼内レンズが眼内レンズ導入管の設置部から挿入口側へ移動したり、眼内レンズ導入管の外部へ飛び出したりすることを確実に防止することのできる、眼内レンズ挿入器具を提供することを目的とする。
【課題を解決するための手段】
【００１１】
請求項１の眼内レンズ挿入器具は、眼内レンズを導入するための略筒状の眼内レンズ導入管を備えた眼内レンズ挿入器具において、前記眼内レンズ導入管は眼内レンズが挿入される挿入口部と眼内レンズが排出される排出口部とを備え、前記眼内レンズ導入管の前記挿入口部側には眼内レンズが一時的に設置される設置部が設けられ、前記眼内レンズ導入管の内径が前記設置部から前記排出口部へ向かって小さくなるように構成されるとともに、前記挿入口部における前記眼内レンズ導入管の内径が前記設置部における前記眼内レンズ導入管の内径よりも小さく形成されたことを特徴とする。
【００１２】
請求項２の眼内レンズ挿入器具は、眼内レンズを導入するための略筒状の眼内レンズ導入管を備えた眼内レンズ挿入器具において、前記眼内レンズ導入管は眼内レンズが挿入される挿入口部と眼内レンズが排出される排出口部とを備え、前記眼内レンズ導入管の前記挿入口部側には眼内レンズが一時的に設置される設置部が設けられ、前記眼内レンズ導入管の内径が前記設置部から前記排出口部へ向かって小さくなるように構成されるとともに、前記挿入口部と前記設置部の間における前記眼内レンズ導入管の内面に突起を設けたことを特徴とする。
【００１３】
請求項３の眼内レンズ挿入器具は、眼内レンズを導入するための略筒状の眼内レンズ導入管を備えた眼内レンズ挿入器具において、前記眼内レンズ導入管は眼内レンズが挿入される挿入口部と眼内レンズが排出される排出口部とを備え、前記眼内レンズ導入管の前記挿入口部側には眼内レンズが一時的に設置される設置部が設けられ、前記眼内レンズ導入管の内径が前記設置部から前記排出口部へ向かって小さくなるように構成されるとともに、前記設置部又は前記挿入口部と前記設置部の間における前記眼内レンズ導入管の内面に凹凸を形成したことを特徴とする。
【００１４】
請求項４の眼内レンズ挿入器具は、請求項１〜３のいずれか１項において、前記設置部において眼内レンズが変形した状態で設置されるように構成されたことを特徴とする。
【００１５】
請求項５の眼内レンズ挿入器具は、請求項１〜４のいずれか１項において、前記眼内レンズ導入管の内面がコーティング処理されたことを特徴とする。
【発明の効果】
【００１６】
請求項１の眼内レンズ挿入器具は、挿入口部における眼内レンズ導入管の内径が設置部における眼内レンズ導入管の内径よりも小さく形成されたことで、眼内レンズ導入管の内径が設置部において最大となることから、眼内レンズが眼内レンズ導入管の設置部から挿入口部側へ移動したり、眼内レンズ導入管の外部へ飛び出したりすることを確実に防止することができる。
【００１７】
請求項２の眼内レンズ挿入器具は、挿入口部と設置部の間における眼内レンズ導入管の内面に突起を設けたことで、この突起により眼内レンズの挿入口部側への移動が抑制されることから、眼内レンズが眼内レンズ導入管の設置部から挿入口部側へ移動したり、眼内レンズ導入管の外部へ飛び出したりすることを確実に防止することができる。
【００１８】
請求項３の眼内レンズ挿入器具は、設置部又は挿入口部と設置部の間における眼内レンズ導入管の内面に凹凸を形成したことで、凹凸を形成した部分における眼内レンズ導入管の内面と眼内レンズとの間の潤滑性が低下することから、眼内レンズが眼内レンズ導入管の設置部から挿入口部側へ移動したり、眼内レンズ導入管の外部へ飛び出したりすることを確実に防止することができる。
【００１９】
請求項４の眼内レンズ挿入器具は、設置部において眼内レンズが変形した状態で設置されるように構成されたことで、より効果的に眼内レンズが眼内レンズ導入管の設置部から挿入口部側へ移動したり、眼内レンズ導入管の外部へ飛び出したりすることが防止される。
【００２０】
請求項５の眼内レンズ挿入器具は、眼内レンズ導入管の内面がコーティング処理されたことで、より効果的に眼内レンズが眼内レンズ導入管の設置部から挿入口部側へ移動したり、眼内レンズ導入管の外部へ飛び出したりすることが防止される。
【発明を実施するための最良の形態】
【００２１】
以下、本発明の眼内レンズ挿入器具の実施例について説明する。
【実施例１】
【００２２】
本発明の眼内レンズ挿入器具の第１実施例について説明する。斜視図を示す図１、断面図を示す図２において、１は挿入筒部であり、この挿入筒部１は、その内部に略筒状の眼内レンズ導入管２を備えている。眼内レンズ導入管２は、眼内レンズが挿入される挿入口部３と、眼内レンズが排出される排出口部４を備えるとともに、眼内レンズ導入管２の挿入口部３側には、眼内レンズが一時的に設置される設置部５が設けられている。
【００２３】
挿入口部３は、折り畳まれた眼内レンズを装填するためのものであり、そこには挿入溝６が設けられている。この挿入溝６は、眼内レンズを鑷子により保持して装填するための溝であり、この挿入溝６に鑷子を入れることにより容易に折り畳まれた眼内レンズを挿入口部３から設置部５に装填できる。また、眼内レンズ導入管２の内部は、設置部５に折り畳まれて変形した状態で設置された眼内レンズが通るため、管状になっており、この眼内レンズ導入管２の内径は、設置部５から排出口部４へ向かって小さくなるように構成されている。また、挿入口部３における眼内レンズ導入管２の内径Ｂは、設置部５における眼内レンズ導入管２の内径Ａよりも小さく形成されている。
【００２４】
この挿入筒部１を用いることができる軟質眼内レンズは、材料として軟質のものであれば特に制限はなく、例えば、シリコーン樹脂、アクリル樹脂、ハイドロゲルなどを用いることができる。
【００２５】
また、眼内レンズ導入管２の先端には排出口部４が形成されており、この排出口部４が眼球の切開創に挿入される。そこで、この挿入筒部１は、人体に悪影響を与えない材質でできている必要があり、例えばポリプロピレンなどのポリアルケンでできている。そして、眼内レンズ導入管２の内面は親水性のコーティング処理がされている。
【００２６】
翼７、８は、挿入筒部１を図３に示すようなインジェクター本体27の先端に設けられた挿入筒部装着部28に装着するためのものであり、この翼７、８を装着部28が保持することにより挿入筒部１とインジェクター本体27が一体となる。このように、挿入筒部１とインジェクター本体27とによって眼内レンズ挿入器具が構成されている。
【００２７】
また、インジェクター本体27には、押出し棒29が設けられている。この押出し棒29の先端は細くなっており（図示せず）、この先端が挿入筒部１の眼内レンズ導入管２内に挿入できるようになっている。そして、この押出し棒29により排出口部４より眼内レンズが眼球内に挿入されるものである。
【００２８】
つぎに、挿入筒部１の製造方法について説明する。挿入筒部１は射出成形により成形する。このとき、設置部５と挿入口部３の間の眼内レンズ導入管２の肉厚を、設置部５と排出口部４の間の眼内レンズ導入管２の肉厚よりも厚くする設計としておく。すると、成形後の収縮により、挿入口部３における眼内レンズ導入管２の内径Ｂが、設置部５における内径Ａよりも小さくなる。このような成形収縮を考慮に入れた射出成形用の金型設計を行なうことにより、一般的に射出成形では困難である形状であっても成形することができる。なお、この射出成形で使用する樹脂は、射出成形に適したポリプロピレンやポリスチレンが好ましい。
【００２９】
また、挿入口部３における眼内レンズ導入管２の内径Ｂを設置部５における内径Ａより小さくするためには、上記のように射出成形時の眼内レンズ導入管２の肉厚を調整するかわりに、図４に示すように、設置部５より挿入口部３側を別部品としての略筒状の挿入口部材１Ａで構成し、挿入筒部１に挿入口部材１Ａを接合するようにしてもよい。この場合、挿入口部材１Ａは、内径Ｂが設置部５における内径Ａより小さいものを用いる。この接合に際しては、図４に示すように、挿入口部材１Ａに凸部９を設け、挿入筒部１には凹部10を設け、凸部９と凹部10を嵌合させてもよい。あるいは、挿入口部材１Ａに凹部、挿入筒部１に凸部を設けてもよい。このように凸部９と凹部10を嵌合させることによって、挿入筒部１と挿入口部材１Ａの位置合わせが容易になる。
【００３０】
あるいは、予め眼内レンズが装填された挿入口部材１Ａを、挿入筒部１に嵌合するように構成してもよい。この場合は、挿入口部材１Ａの長さを眼内レンズが入る程度に長くとる必要がある。このように構成することによって、挿入口部材１Ａに眼内レンズを入れた状態でパッケージ化し、眼内レンズを販売する態様も採れる。
【００３１】
また、挿入口部材１Ａと挿入筒部１の嵌合の態様としては、図５に示すように、挿入口部材１Ａに挟持部９Ａを設け、この挟持部９Ａによって挿入筒部１の外側を挟み込むことによって、挿入口部材１Ａと挿入筒部１を嵌合するように構成してもよい。
【００３２】
以上のように本実施例の眼内レンズ挿入器具は、眼内レンズを導入するための略筒状の眼内レンズ導入管２を備えた眼内レンズ挿入器具において、前記眼内レンズ導入管２は眼内レンズが挿入される挿入口部３と眼内レンズが排出される排出口部４とを備え、前記眼内レンズ導入管２の前記挿入口部３側には眼内レンズが一時的に設置される設置部５が設けられ、前記眼内レンズ導入管２の内径が前記設置部５から前記排出口部４へ向かって小さくなるように構成されるとともに、前記挿入口部３における前記眼内レンズ導入管２の内径Ｂが前記設置部５における前記眼内レンズ導入管３の内径Ａよりも小さく形成されたものであり、眼内レンズ導入管２の内径が設置部５において最大となることから、眼内レンズが眼内レンズ導入管２の設置部５から挿入口部３側へ移動したり、眼内レンズ導入管２の外部へ飛び出したりすることを確実に防止することができる。
【００３３】
また、設置部５において眼内レンズが変形した状態で設置されるように構成されたことで、より効果的に眼内レンズが眼内レンズ導入管２の設置部５から挿入口部３側へ移動したり、眼内レンズ導入管２の外部へ飛び出したりすることが防止される。
【００３４】
さらに、眼内レンズ導入管２の内面がコーティング処理されたことで、より効果的に眼内レンズが眼内レンズ導入管２の設置部から挿入口部３側へ移動したり、眼内レンズ導入管２の外部へ飛び出したりすることが防止される。
【実施例２】
【００３５】
つぎに第２実施例について説明する。なお、上記第１実施例と共通する部分には同じ符号を付し、その詳細な説明を省略する。
【００３６】
本実施例の眼内レンズ挿入器具の断面を図６に示す。本実施例では、挿入口部３と設置部５の間における眼内レンズ導入管２の内面に突起11を設けたものである。この突起11は、設置部５に設置した眼内レンズが挿入口部３側に移動することができない程度の大きさであって、少なくとも１箇所に設けられていればよい。そして、突起11は、眼内レンズ導入管２から内側に向いて形成されている。
【００３７】
この突起11は、射出成形した挿入筒部１の側面から熱した金属金具を押し当てることによって挿入筒部１を変形させて形成することができる。または、別部材として突起部材を用意し、これを眼内レンズ導入管２に接合して突起11を形成してもよい。
【００３８】
また、この突起11を、図７に示す突起11Ａや、図８に示す突起11Ｂのような断面形状に形成してもよい。すなわち、挿入口部３側で突起11Ａ，11Ｂの側面と眼内レンズ導入管２の内面のなす角度は小さく、排出口部４側で突起11Ａ，11Ｂの側面と眼内レンズ導入管２の内面のなす角度は大きく、略直角に形成されている。このような形状で突起11Ａ，11Ｂを形成することによって、挿入口部３側から排出口部４側へ眼内レンズが挿入しやすく、また、一度眼内レンズが挿入されると挿入口部３側へ眼内レンズが飛び出しにくくなる。
【００３９】
以上のように本実施例の眼内レンズ挿入器具は、眼内レンズを導入するための略筒状の眼内レンズ導入管２を備えた眼内レンズ挿入器具において、前記眼内レンズ導入管２は眼内レンズが挿入される挿入口部３と眼内レンズが排出される排出口部４とを備え、前記眼内レンズ導入管２の前記挿入口部３側には眼内レンズが一時的に設置される設置部５が設けられ、前記眼内レンズ導入管２の内径が前記設置部５から前記排出口部４へ向かって小さくなるように構成されるとともに、前記挿入口部３と前記設置部５の間における前記眼内レンズ導入管２の内面に突起11を設けたものであり、この突起11により眼内レンズの挿入口部３側への移動が抑制されることから、眼内レンズが眼内レンズ導入管２の設置部５から挿入口部３側へ移動したり、眼内レンズ導入管２の外部へ飛び出したりすることを確実に防止することができる。
【実施例３】
【００４０】
つぎに第３実施例について説明する。なお、上記第１実施例、第２実施例と共通する部分には同じ符号を付し、その詳細な説明を省略する。
【００４１】
本実施例の眼内レンズ挿入器具の断面を図９に示す。本実施例では、挿入口部３と設置部５の間における眼内レンズ導入管２の内面に凹凸12を形成したものである。この凹凸12は、微小な多数の凹凸の集合からなり、眼内レンズ導入管２の内面の潤滑性を阻害するものであって、設置部５に設置した眼内レンズが挿入口部３側に移動することを抑制するように構成されている。なお、凹凸12は、挿入口部３と設置部５の間のほかに設置部５に設けてもよく、または、設置部５にのみに設けても眼内レンズの移動を抑制することができる。
【００４２】
この凹凸12は、挿入筒部１の射出成形用の金型に部分的な処理を行なうことによって形成することができる。具体的には、金型の設置部５又は挿入口部３と設置部５の間における眼内レンズ導入管２の内面に相当する部分に、放電処理を施すか、またはサンドペーパーやダイヤモンドペースト等による磨き処理を施せばよい。
【００４３】
以上のように本実施例の眼内レンズ挿入器具は、眼内レンズを導入するための略筒状の眼内レンズ導入管２を備えた眼内レンズ挿入器具において、前記眼内レンズ導入管２は眼内レンズが挿入される挿入口部３と眼内レンズが排出される排出口部４とを備え、前記眼内レンズ導入管２の前記挿入口部３側には眼内レンズが一時的に設置される設置部５が設けられ、前記眼内レンズ導入管２の内径が前記設置部５から前記排出口部４へ向かって小さくなるように構成されるとともに、前記設置部５又は前記挿入口部３と前記設置部５の間における前記眼内レンズ導入管２の内面に凹凸12を形成したものであり、凹凸12を形成した部分における眼内レンズ導入管２の内面と眼内レンズとの間の潤滑性が低下することから、眼内レンズが眼内レンズ導入管２の設置部５から挿入口部３側へ移動したり、眼内レンズ導入管２の外部へ飛び出したりすることを確実に防止することができる。
【００４４】
以上、本発明の実施例について説明したが、本発明は、前記実施例に限定されるものではなく、種々の変形実施が可能である。例えば、上記各実施例は挿入筒部１とインジェクター本体27とが別体で構成された眼内レンズ挿入器具を例にとって説明したが、これに限らず、挿入筒部とインジェクター本体とが一体に形成された構造であってもよい。
【図面の簡単な説明】
【００４５】
【図１】本発明の眼内レンズ挿入器具の第１実施例の挿入筒部を示す斜視図である。
【図２】同上断面図である。
【図３】同上挿入筒部をインジェクター本体に装着する様子を示す斜視図である。
【図４】同上眼内レンズ挿入器具の製造方法の一例を示す挿入筒部の上面図である。
【図５】同上変形例を示す上面図である。
【図６】同上第２実施例を示す断面図である。
【図７】同上変形例を示す断面図である。
【図８】同上変形例を示す断面図である。
【図９】同上第３実施例を示す断面図である。
【符号の説明】
【００４６】
２  眼内レンズ導入管
３  挿入口部
４  排出口部
５  設置部
11  突起
12  凹凸
Ａ，Ｂ  内径
【図１】
2006014963.tif 000003
【図２】
2006014963.tif 000004
【図３】
2006014963.tif 000005
【図４】
2006014963.tif 000006
【図５】
2006014963.tif 000007
【図６】
2006014963.tif 000008
【図７】
2006014963.tif 000009
【図８】
2006014963.tif 000010
【図９】
2006014963.tif 000011